(57)【要約】      （修正有）【課題】刈払機で刈り払い中に、刈刃が刈り倒した草を刈刃の駆動回転で刈刃上面と安全カバー天板裏面間に詰まらせてしまう。その詰まった草を円滑に脱出させ、クラッチの寿命を延ばす機構を提供する。【解決手段】操作棹３とカバー天板部との間の一部位に、側面視で刈刃回転面と概ね平行に軸を設け、カバー天板部と周縁板部をその軸を中心にして刈刃回転面に対して粗垂直の方向に回動させ、刈刃回転面とカバー天板裏面との間隔及び刈刃刃先と周縁板との間隔を拡縮することが出来るようにする。草が詰まったとき、ハンドル部等に取り付けたレバーを操作して、カバー天板裏面・周縁板を刈刃回転面・刈刃刃先から離し、詰まった草を刈刃回転の後方へ脱出させる。【選択図】図４
2014042513.tif 000002
【特許請求の範囲】
【請求項１】
操作棹と、この操作棹の先端部に於いて駆動回転される刈刃と、前記操作棹に取付具を介して取り付けられた飛散防止安全カバーとを備える刈払機において、
前記飛散防止安全カバーは、前記刈刃の回転面の上方に、前記刈刃回転面と粗平行に配置された天板部、又は上面にアーム部を付設した前記天板部を備え、
前記取付具又は前記アーム部に、前記天板部を前記刈刃回転面から離間させるように搖動させる搖動手段を設けたこと、
を特徴とする刈払機。
【請求項２】
前記搖動手段は、前記取付具に前記飛散防止安全カバーを連結するとともに、前記操作棹の中心線方向と交差する方向であって前記刈刃回転面に対して粗１５パーセント以内の傾斜で配置された軸であることを特徴とする請求項１に記載の刈払機。
【請求項３】
前記搖動手段は、前記取付具又は前記アーム部と前記天板部を連結するとともに、前記刈刃の径方向と概ね平行に配置された軸であることを特徴とする請求項１に記載の刈払機。
【請求項４】
前記軸を前記取付具、又は前記アーム部、又は前記取付具と前記アーム部の連結部位の両側に配置し、分割した前記天板部をそれぞれ搖動自在としたことを特徴とする請求項３に記載の刈払機。
【請求項５】
前記天板部の搖動範囲及び／又は搖動方向を規制するための規制手段を設けたことを特徴とする請求項１〜４のいずれか１項に記載の刈払機。
【請求項６】
前記飛散防止安全カバーの周縁部に錘を付設した請求項１〜５のいずれか１項に記載の刈払機。
【請求項７】
刈払機の操作棹又はハンドル部にレバーを付設し、このレバーと前記天板部又は前記アーム部又は前記周縁部とをワイヤーで連結し、前記レバーで前記ワイヤーを操作することで前記天板部を揺動させることを特徴とする請求項１〜６のいずれか１項に記載の刈払機。
【発明の詳細な説明】
【技術分野】
【０００１】
本発明は、刈払機の飛散防止安全カバーに関し、詳しくは刈払機で刈り払い中に刈り倒した草が刈刃と飛散防止安全カバーの天板裏面間あるいは刈刃の刃先と安全カバー周縁板間に詰まり、詰まった草の接触抵抗を受けて刈刃の回転が低下する。又は回転が止まる事態になり、その度ごとにクラッチを切ってあるいはエンジンを止めて、詰まった草を取り除かなければならなくなる。このような事態を生じさせない、あるいは生じても直ちに詰まった草を刈刃面あるいは刈刃刃先部から放出して作業を中断せずに行えるようにするものである。
【背景技術】
【０００２】
操作棹の先端部で駆動回転する（一般的に、反時計方向の粗水平の回転。本申請では反時計方向回転として説明する。）刈刃には、飛散防止安全カバー（以下、「安全カバー」という。）が必要である。安全カバーは刈刃の刃先が蹴りだす小石や異物等が作業者の目や顔や手や足などに当たらないように防御している。
一般的に安全カバーは、刈刃の上空数センチメートルの高さに位置し、刈刃面に粗平行の面を持つ天板部と、刈刃の外周部に位置し側面視で刈刃回転面と交差している周縁板部で構成され、取付具で操作棹に取り付けられている。また、前記天板部上面にアーム部を付設し、そのアーム部を介して取り付けられているものもある。更に、天板部が極端に小面積になったものもある。
【０００３】
安全カバーは刈った草が広い角度で放散するのを阻止する機能も持っている。また通常、刈払機を肩掛けバンドで吊り下げ刈刃を右から左に弧を描くように振りながら刈り払うが、一定の草丈を超えた長尺の草を刈る場合は、右から左に振る際、根元が切断され倒れた状態の草を、安全カバー天板の左側側面や周縁板の左側側面を利用して刈払い地の左端に押しやる集草の機能を併せ持っている。
【発明の開示】
【発明が解決しようとする課題】
【０００４】
ところが刈り払い中に、駆動回転している刈刃が根元が切られて倒れた草を刈刃面の上でその回転方向に押しやり、図１で図示のように刈刃上面と安全カバー天板の裏面間に詰まらせてしまうことになる。短い草の場合などは安全カバーの内側の刈刃の刃先付近に詰まるが、比較的真っ直ぐに伸びた剛直な茎の草や一定の草丈を超えた草では刈刃上面と安全カバー天板裏面の間に挟み込まれるように詰まる。その詰まった草が刈刃上面を押さえ摩擦抵抗を刈刃面に与えて刈刃の回転を鈍らせてしまう。
そのような事態になると、作業者はエンジンの回転を弱めて自動クラッチが入らないようにし、あるいはエンジンを停止し、吊り具から刈払機を降して詰まった草を取り除かなければならない。
このようなことが度々起こることは、作業の効率を極端に低下させ、更にクラッチを劣化させることになる。
【０００５】
作業の中断を避けるために安全カバーの取付け位置を操作棹のエンジン側に異動して固定し、安全カバーと刈刃との間隔を極端に広げて詰まらないようにしている例を見かけるが、これでは小石・異物等の飛散から作業者を守れない。また、刈った草を四方へ飛び散らかしてしまう。また、円弧状に振ったとき、安全カバー天板が倒れた草の上空を通過することになるため、倒れた草を天板の左側側面や周縁板の左側側面で押すことが出来ず、従って集草することができない。
【０００６】
また、集草に特化した器具も発明されているが、安全カバーが刈刃近くの安全上の標準的位置に設置されていない。
また、刈刃の刃先部分に詰まった草が詰まった草の圧力で安全カバーの周縁板を押して開ける機構の提案もなされているが、刈刃の回転が鈍る主な原因は刈刃の上面に詰った草が刈刃の上面を面的に押すためであるので、そのような状況に対しては充分対応出来ず抜本的解決となっていない。また、草の圧力で開閉するとしているので不確実である。
【特許文献１】特開２００５−０１３１８８
【特許文献２】特開２００９−２２５７７８
【特許文献３】実開昭６４−１７１２１
【０００７】
以上、問題点を挙げたが、作業を中断することなく、詰まった草を作業者の操作で刈刃面から脱出させる、また詰らないようにする機構を提案する。
【課題を解決するための手段】
【０００８】
操作棹３に取り付けられている飛散防止安全カバー２において、操作棹３と天板部Ｔの間の一部位に、たとえば取付具４と安全カバーアーム部Ａの結合部や、図６のように取付具４と安全カバー天板部Ｔの結合部や、図４のようにアーム部Ａの部材中に、側面視で刈刃１の回転面と概ね平行に軸６を配置して、飛散防止安全カバー天板部Ｔ・安全カバー周縁部Ｅを前記軸６を回動の中心にして刈刃１の回転面に対して概ね垂直の方向に搖動させ、刈刃回転面とカバー天板裏面の全面、及び刈刃刃先と周縁板との間隔を拡縮することを可能とすることを特徴とする刈払機を提案する。図４は刈払機の操作棹先端部を側方からみたもので、飛散防止安全カバー２のアーム部Ａを上下に分割してそれらを軸で連結している例の図である。なお、この軸を取付具自体の中やアーム部Ａと天板部Ｔの結合部に配置することも提案している。
【０００９】
更に、操作棹３や操作棹３を操作する両手ハンドル５のグリップ部にワイヤー９の引き・戻し用のレバー１１を取り付ける。レバー１１に連結したワイヤー９は保護管１０に守られて操作棹３に沿って安全カバー２の天板部Ｔの上空域部に届く、前記ワイヤー保護管１０は前記上空域部の操作棹３に付属具で固定しておく。ワイヤー９は図４で図示のように間隔維持用のバネＢの中心域を貫通してカバー天板部Ｔあるいはカバーアーム部Ａあるいはカバー周縁部Ｅと連結している。
【００１０】
詰まった草を除去する操作は、草が刈刃１と飛散防止安全カバー天板部Ｔの間や刃先に詰まった状態になったら、あるいは詰まりかけたらレバー１１を操作して行う。ワイヤー９は安全カバー２の天板部Ｔを操作棹３の方へすなわち刈刃１の回転面に概ね垂直の方向に引き上げる。また、周縁板を刈刃刃先から遠ざける。刈刃１の回転面と安全カバー２の天板部Ｔの裏面との間隔及び刈刃刃先と周縁板との間隔が広がり、押し込められていた草は開放され、刈刃１の駆動回転の摩擦力で引き出され、あるいは蹴り出されて回転方向へ放り出される。
【００１１】
提案の前記軸６は操作棹の中心線方向から見た正面視で、刈刃回転面と平行よりも、平面視で安全カバーの右側すなわち回転方向の後方側がやや高くなるように、傾けて設置することも提案出来る。安全カバーがワイヤーに引かれて枢開したとき、安全カバーの天板は安全カバーの右側すなわち刈刃の回転の後方が左側すなわち回転方向の前方より、相対的に刈刃面から大きな回転半径で刈刃回転面に垂直方向に間隔広く離れ、周縁板も刈刃刃先から間隔広く離れるため、詰まっていた草は更に確実に刈刃面・刈刃刃先から解放される効果がある。
【００１２】
また、提案の前記軸６は平面視で操作棹３の中心線と直交させるだけでなく、斜設することも提案出来る。図１のように、茎に多くの葉や広い葉が着いている草などは、天板の左側側面・周縁板の左側側面・刈刃の上面で構成される開口部で集中的に詰まるので、このような場合は軸を図のＪの方向を中心線にして設けると、左側に詰まった草が集中的に解放される。
草丈が低い、細い草などは天板裏面の中央部から後方に詰まるので、そのような場合は、カバーの右側が集中的に開放されるように斜設して軸を配置する。
また、天板部・周縁部を刈刃の径方向と粗平行な線で分割して、その分割した天板部・周縁部を先述のように取付具やアーム部に枢設してもよい。
【発明の効果】
【００１３】
本案の放出機構付の刈払機は天板部・周縁部等からなる安全カバーを安全上の標準的位置・高さに取り付けることが可能であるので、小石・異物等から作業者を守ることができる。
安全カバーの左側側面Ｈや周縁板の左側側面を利用して先述のように集草をすることができる。
回動により天板面の全面を刈刃回転面に近づけたり遠ざけたりすることが可能で、近づければ開口部が狭くなることで草は刈刃面上で引き込まれにくくなる。遠ざければ詰まった草が放出される。
また、軸を刈刃回転面に対して、側面視で傾斜させて配置することが出来る。右側すなわち放出方向の後方側が刈刃回転面に対して高くなるように配置すれば、回動による離間距離は右側が大きくなり、詰まっていた草は更に容易に排出される。
作業を中断しなくてもあるいは刈刃の回転を落とさなくとも詰まった草を除去できるので作業の効率が落ちない。
エンジンに長時間あるいは頻繁に異常な負荷をかけないのでクラッチ等の劣化が抑えられる。当然燃費も経済的になる。
【発明を実施するための最良の形態】
【００１４】
刈り払い作業は、作業者が一歩づつ前進しながら、そして左右に操作棹を振りながら行われるので、その動作を利用して草が詰まらないようにする。また、詰まっても、自動的に放出されるようにする。
【００１５】
次に本発明の応用実施例を説明する。
【実施例１】
【００１６】
取付具４と飛散防止安全カバー２のアーム部Ａの連結部に、側面視で刈刃１の回転面に概ね平行に軸６を設け、安全カバー２の天板部Ｔを前記軸６を中心にして刈刃１の回転面に対して粗垂直の方向に搖動させることを可能とすることを特徴とする刈払機を提案する。
図２は刈払機の操作棹先端部を側面からみたもので、取付具４によってアーム部Ａが左右から挟まれ、取付具４は軸６が貫通する孔とアーム部Ａに固設したピンＰの異動を誘導し、搖動範囲と揺動方向を規制する弧状の窓Ｍを持っている。
【００１７】
草が詰まったとき、操作棹３の先端すなわち刈刃１部分を頭を持ち上げるように上げると、図３のように安全カバー２が軸６を回動中心にして自重で垂れ下がり、その結果天板部Ｔ及び周縁板Ｅが刈刃１の回転面及び刈刃刃先から離れて、詰まっていた草は脱出することができる。また、先端部を急激に振り下げれば、安全カバー天板Ｔの周縁側や周縁部Ｅは慣性で上に跳ね上がり刃１の回転面及び刃先からさらに大きく離れる。軸６を刈刃回転面に対して傾斜させて設ける場合は１５パーセント程度の傾斜設置勾配が限界である。これ以上傾けて設置すると自重で確実に垂れ下がることを望めない。
【００１８】
安全カバー周縁部Ｅに錘８を付設、あるいは棹先側の天板面に比べて周縁板部を相対的に重くしておくと慣性モーメントが増し、安全カバー天板面は更に確実に刈刃面及び刃先から離れる。また、刈刃を地面近くの元の高さに戻したとき、跳ね上がっていた安全カバー天板部等を確実に元の状態に戻すことが出来る。
【００１９】
また、当該発明の刈払機で草を刈ると、作業者が操作棹を下したままで一歩前進する時、カバー天板部は慣性力で搖動して軸６の中心線と直角の方向で切刃面から上の方へ、また周縁板は刃先から離れる動作をする。草が詰まっている場合はその動作で放出される。
作業の仕方としては、前進を止めて操作棹を右から左に振り、草を刈りながら集草する。次に左から右に棹を戻しながら一歩前進すると、その際に天板部が搖動して詰まった草が放出される。これで、作業中の草の詰まりによる中断から解放される。前進時の搖動は前記傾斜設置勾配が急であると搖動しない。安全カバーの、軸６を中心にした前後バランスをよくしても、操作棹中心線に直角方向で前記傾斜設置勾配は１５パーセントまでである。
【実施例２】
【００２０】
図６に図示のように、安全カバー２を平面視で左右に分割し、それぞれの安全カバーを取付具４に、平面視で刈刃の径方向と概ね平行する方向で且つ側面視で刈刃回転面と概ね平行に軸６を設けて枢着し、分割されたそれぞれの安全カバーの天板部Ｔ・周縁部Ｅがその軸６を中心にして刈刃回転面に対して粗垂直の方向に搖動するようにする。
【００２１】
草が詰まったとき、作業者が左右のハンドルを操作棹を中心にして急激に左回転・右回転して、すなわち操作棹を正逆繰り返し回転させる。天板裏面は慣性力で急激に左右のカバーの夫々の左右端部が捲れ上がり、左・右の刈刃面から離れることになる。刈刃上の詰まっていた草も左・右交互に蓋が取り除かれたようになり、挟まれていた状態から開放される。
右側の安全カバーの周縁部の右端、左側の安全カバーの周縁部の左端に錘を付設あるいは相対的に重くしておくと、作業者が急激に左回転・右回転したとき、安全カバー天板面Ｔは大きな慣性モーメントで更に確実に刈刃面から離れる。
【００２２】
また、水平に近い平坦地においては、当該発明の刈払機で草を刈ると、作業者が操作棹を右から左に振り、最左端で今度は右の方向へ戻そうとして振る角速度を落としかけると左側安全カバーは慣性力で搖動して、軸を中心にして左端側が捲くれ上がる。また、反対に右端で振る角速度を落としかけると右側安全カバーの右端側が慣性力で搖動して捲くれ上がる。これを繰りかえせば左右のカバーが交互に捲くれ上がり、中に詰まった草は刈刃の回転で引き出されて順次排出される。
また、操作棹を右から左に振っているとき、刈刃は草を刈り、カバーは集草しているが、その時、左側のカバーは規制された揺動範囲内で最も下に下がっており、開口部を狭めて草が詰まりにくい状態を作っている。
このような使い方をするときは、錘は周縁板の下端に付設することが望ましい。また、草が順次スムーズに送られるようにするため、前記軸の直下のカバー天板部はそれぞれの左右の端部側より多少高くしておくとよい。
【００２３】
また、軸をこの例では取付具４と天板部Ｔの連結部に設けているが、図４の例のようにアーム部Ａと天板部Ｔを固接したうえで、アーム部Ａの中間的高さの位置に、且つ下のアーム部を左右に分割して、夫々に軸を設けたり、あるいは取付具４と分割されたアーム部の連結部に夫々に軸を設けたりすれば、左右のカバーはその軸を中心にして刈刃回転面及び刈刃刃先から上の方向や外の方向へ大きな回動半径で乖離する。
この場合、操作棹を右から左に振り、その最左端に達したとき、左側の安全カバーは慣性力で大きく搖動し、天板面・周縁板の左側側面は集草してきた草や図１のように刃面に詰まりかけた草を左端の方へ吐き出すことで更につまりにくくなる効果がある。
【００２４】
軸を左又は右側の安全カバーにのみ設けて、片方のみを搖動させても一定の放出の効果がある。また、軸を取付具自体の中あるいは取付具とアーム部の連結部に配置しても同様の効果がある。
また設置角度は先述のように、平面視で操作棹と多少斜交させても、また刈刃回転面に対して側面視で傾斜させてもよいのはこの例でも言えることである。
又、分割された周縁板は図６のＫのように分割部で左右が重なるようにしておけば、飛散防止が保全される。
【図面の簡単な説明】
【００２５】
【図１】刈刃で刈り倒した草が安全カバー裏面と刈刃上面の間に詰まった状態を説明している刈刃部平面視図。
【図２】取付具と安全カバーを軸を介して連結した例の側面視図。取付具が安全カバーのアーム部を左右から挟み、取付具と安全カバーアーム部の連結部が軸になっている。
【図３】操作棹の先端部を上げて、安全カバーを図の矢印の方向に搖動させ、安全カバーの天板部及び周縁部を刈刃回転面及び刃先から離れさせ、草を放出する使用法の説明図。
【図４】安全カバーアーム部を上下に分割し、それらを軸を介して連結し、その軸を中心にしてカバー天板部及び周縁部を搖動させる刈払機の側面視図。搖動量をワイヤーで調節できるようにしている。
【図５】安全カバー天板部の搖動をハンドルのグリップ部に取り付けたレバーを操作してワイヤーで操作できるようにした刈払機の例の斜視図。
【図６】安全カバーの天板部・周縁部を左右に分割し、それぞれを取付具に枢設した例の斜視図。
【符号の説明】
【００２６】
１  刈刃
２  飛散防止安全カバー
３  操作棹
４  取付具
５  両手ハンドル
６  軸
７  蝶番
８  錘
９  ワイヤー
１０  ワイヤー保護管
１１  ワイヤー操作レバー
【図１】
2014042513.tif 000003
【図２】
2014042513.tif 000004
【図３】
2014042513.tif 000005
【図４】
2014042513.tif 000006
【図５】
2014042513.tif 000007
【図６】
2014042513.tif 000008
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
操作棹と、この操作棹の先端部に於いて駆動回転される刈刃と、前記操作棹に取付具を介して取り付けられた飛散防止安全カバーとを備える刈払機において、
前記飛散防止安全カバーは、前記刈刃の回転面の上方に配置された天板部と、この天板部を前記操作棹に搖動自在に取り付ける搖動手段とを有し、
前記搖動手段は、前記操作棹を操作することで前記天板部を搖動させる軸部と、前記天板部の搖動範囲を規制する規制部とを備えること、
を特徴とする刈払機。
【請求項２】
前記軸部が前記刈刃回転面に対して略１５パーセント以内で傾斜して配置されていることを特徴とする請求項１に記載の刈払機。
【請求項３】
前記飛散防止安全カバーを分割し、それぞれ又は一の分割された飛散防止安全カバーに前記搖動手段を有していることを特徴とする請求項１又は２に記載の刈払機。
【請求項４】
前記飛散防止安全カバーの周縁部に錘を付設した請求項１〜３のいずれか１項に記載の刈払機。
【請求項５】
刈払機の操作棹又はハンドル部にレバーを付設し、このレバーと前記天板部又は前記アーム部又は前記周縁部とをワイヤーで連結し、前記レバーで前記ワイヤーを操作することで前記天板部を前記刈刃回転面に略垂直の方向に回動させて揺動させることを特徴とする請求項１〜４のいずれか１項に記載の刈払機。
【手続補正２】
【補正対象書類名】明細書
【補正対象項目名】０００１
【補正方法】変更
【補正の内容】
【０００１】
本発明は、刈払機の飛散防止安全カバーに関し、詳しくは刈払機で刈り払い中に刈り倒した草が刈刃と飛散防止安全カバーの天板裏面間あるいは刈刃の刃先と安全カバー周縁板間に詰まり、詰まった草の接触抵抗を受けて刈刃の回転が低下する。又は回転が止まる事態になり、その度ごとにクラッチを切ってあるいはエンジンを止めて、詰まった草を取り除かなければならなくなる。このような事態を生じさせない、あるいは生じても直ちに詰まった草を刈刃面あるいは刈刃刃先部から機構的に放出させて作業を中断せずに行えるようにするものである。
【手続補正３】
【補正対象書類名】明細書
【補正対象項目名】０００７
【補正方法】変更
【補正の内容】
【０００７】
以上、問題点を挙げたが、作業を中断することなく、詰まった草を作業者の動作や棹の操作で刈刃面から脱出させる、また詰らないようにする機構を提案する。
【手続補正４】
【補正対象書類名】明細書
【補正対象項目名】０００８
【補正方法】変更
【補正の内容】
【０００８】
操作棹３に取り付けられている飛散防止安全カバー２において、操作棹３と天板部Ｔの間の一部位に、たとえば取付具４と安全カバーアーム部Ａの結合部や、図６のように取付具４と安全カバー天板部Ｔの結合部や、図４のようにアーム部Ａの部材中に、側面視で刈刃１の回転面と概ね平行に軸６を配置して、飛散防止安全カバー天板部Ｔ・安全カバー周縁部Ｅを前記軸６を回動の中心にして刈刃１の回転面に対して概ね垂直の方向に積極的に常時搖動させ、刈刃回転面とカバー天板裏面の全面、及び刈刃刃先と周縁板との間隔を拡縮することを可能とすることを特徴とする刈払機を提案する。図４は刈払機の操作棹先端部を側方からみたもので、飛散防止安全カバー２のアーム部Ａを上下に分割してそれらを軸で連結している例の図である。なお、分割された下のアーム部は上のアーム部に係合して一定の角度まで回動するようになっている。
更に、この軸を取付具自体の中やアーム部Ａと天板部Ｔの結合部に配置することも提案する。
【手続補正５】
【補正対象書類名】明細書
【補正対象項目名】００１０
【補正方法】変更
【補正の内容】
【００１０】
詰まった草を除去する操作は、草が刈刃１と飛散防止安全カバー天板部Ｔの間や刃先に詰まった状態になったら、あるいは詰まりかけたらレバー１１を操作して行う。ワイヤー９は安全カバー２の天板部Ｔを操作棹３の方へすなわち刈刃１の回転面に概ね垂直の方向に引き上げる。また、周縁板を引き上げながら刈刃刃先から遠ざける。刈刃１の回転面と安全カバー２の天板部Ｔの裏面との間隔及び刈刃刃先と周縁板との間隔が上下と左右方向に広がり、押し込められていた草は開放され、刈刃１の駆動回転の摩擦力で刈刃回転円の接線方向へ放出される。あるいは刈刃の粗径方向へ蹴り出される。
【手続補正６】
【補正対象書類名】明細書
【補正対象項目名】００１４
【補正方法】変更
【補正の内容】
【００１４】
刈り払い作業は、作業者が一歩づつ前進しながら、そして左右に操作棹を振りながら行われるので、その動作を利用して草が詰まらないようにする。また、詰まっても、作業者の棹の操作で自動的に放出されるようにする。
【手続補正７】
【補正対象書類名】明細書
【補正対象項目名】００１６
【補正方法】変更
【補正の内容】
【００１６】
取付具４と飛散防止安全カバー２のアーム部Ａの連結部に、側面視で刈刃１の回転面に概ね平行に軸６を設け、安全カバー２の天板部Ｔを前記軸６を中心にして刈刃１の回転面に対して概ね垂直の方向に搖動させることを可能とすることを特徴とする刈払機を提案する。
図２は刈払機の操作棹先端部を側面からみたもので、取付具４によってアーム部Ａが左右から挟まれ、取付具４は軸６が貫通する孔と、アーム部Ａに固設したピンＰの異動を誘導し搖動範囲と揺動方向を規制する弧状の窓Ｍを持っている。
天板部や周縁部が刈刃に接触しないようにするなど、窓ＭがピンＰの異動範囲を規制して天板や周縁板の回動可能角度の限度を決定している例である。
【手続補正８】
【補正対象書類名】明細書
【補正対象項目名】００１７
【補正方法】変更
【補正の内容】
【００１７】
草が詰まったとき、操作棹３の先端すなわち刈刃１部分を頭を持ち上げるように上げると、図３のように安全カバー２が軸６を回動中心にして自重で垂れ下がり、その結果天板部Ｔ及び周縁板Ｅが刈刃１の回転面及び刈刃刃先から離れて、詰まっていた草は脱出することができる。また、先端部を急激にあるいは強く振り下げれば、安全カバー天板Ｔの周縁側や周縁部Ｅは慣性で上に跳ね上がり刃１の回転面及び刃先からさらに大きく離れる。軸６を刈刃回転面に対して傾斜させて設ける場合は１５パーセントの傾斜設置勾配が限界である。これ以上傾けて設置すると自重で確実に垂れ下がることを望めない。
【手続補正９】
【補正対象書類名】明細書
【補正対象項目名】００１９
【補正方法】変更
【補正の内容】
【００１９】
また、当該発明の刈払機で草を刈ると、作業者が操作棹を下したままで一歩前進する時、カバー天板部は慣性力で搖動して軸６の中心線と直角の方向で切刃面から上の方へ、また周縁板は刃先から離れる動作をする。草が詰まっている場合はその動作で放出される。
作業の仕方としては、前進を止めて操作棹を右から左に振り、草を刈りながら集草する。次に左から右に棹を戻しながら一歩前進すると、その際に天板部が搖動して詰まった草が放出される。これで、作業中の草の詰まりによる中断から解放される。前進時の搖動は前記傾斜設置勾配が急であると搖動量が少ない。安全カバーの、軸６を中心にした前後バランスをよくしても、操作棹中心線に直角方向で前記傾斜設置勾配は１５パーセントまでである。
【手続補正１０】
【補正対象書類名】明細書
【補正対象項目名】００２０
【補正方法】変更
【補正の内容】
【００２０】
図６に図示の例は、安全カバー２を平面視で左右に分割し、それぞれの分割された安全カバーを、取付具４の側面に軸６を設けて枢着し、分割されたそれぞれの安全カバーの天板部Ｔ・周縁部Ｅがその軸６を中心にして刈刃回転面に対して粗垂直の方向に常時搖動するようにしているものである。
【手続補正１１】
【補正対象書類名】明細書
【補正対象項目名】００２１
【補正方法】変更
【補正の内容】
【００２１】
草が詰まったとき、作業者が左右のハンドルを操作棹を中心にして急激に左回転・右回転の操作をして、操作棹を正逆繰り返し回転させる。天板裏面は慣性力で急激に左右のカバーの夫々の左右端部が捲れ上がり、左・右の刈刃面から離れることになる。刈刃上の詰まっていた草も左・右交互に蓋が取り除かれたようになり、挟まれていた状態から開放される。
右側の安全カバーの周縁部の右端、左側の安全カバーの周縁部の左端に錘を付設あるいは相対的に重くしておくと、作業者が急激に左回転・右回転したとき、安全カバー天板面Ｔは大きな慣性モーメントで更に確実に刈刃面から離れる。
【手続補正１２】
【補正対象書類名】明細書
【補正対象項目名】００２２
【補正方法】変更
【補正の内容】
【００２２】
また、水平に近い平坦地においては、当該発明の刈払機で草を刈ると、作業者が操作棹を右から左に振り、最左端で今度は右の方向へ戻そうとして振る角速度を落としかけると左側安全カバーは慣性力で搖動して、軸を中心にして左端側が捲くれ上がる。また、反対に右端で振る角速度を落としかけると右側安全カバーの右端側が慣性力で搖動して捲くれ上がる。これを繰りかえせば左右のカバーが交互に捲くれ上がり、中に詰まった草は刈刃の回転で引き出されて順次連続的に排出される。
また、操作棹を右から左に振っているとき、刈刃は草を刈り、カバーは集草しているが、その時、左側のカバーの天板は取付具４の垂直の板面に直角・刈刃回転面に粗平行であり、すなわち規制された揺動範囲内で最も下に下がっており、開口部を狭めて草が詰まりにくい状態を作っている。
このような使い方をするときは、錘は周縁板の下端に付設することが望ましい。また、草が順次スムーズに送られるようにするため、前記軸の直下のカバー天板部はそれぞれの左右の端部側より多少高くしておくとよい。
【手続補正１３】
【補正対象書類名】明細書
【補正対象項目名】００２４
【補正方法】変更
【補正の内容】
【００２４】
軸を左又は右側の安全カバーにのみ設けて、片方のみを搖動させても一定の放出の効果がある。また、軸を取付具自体の中あるいは取付具とアーム部の連結部に配置しても同様の効果がある。
また軸の設置角度は先述のように、平面視で操作棹中心線と斜交させても、また刈刃回転面に対して側面視で傾斜させてもよいのはこの例でも言えることである。
又、分割された周縁板は図６のＫのように分割部で左右が重なるようにしておけば、飛散防止が保全される。
【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
操作棹と、この操作棹の先端部に於いて駆動回転される刈刃と、前記操作棹に取付具を介して取り付けられた飛散防止安全カバーとを備える刈払機において、
前記飛散防止安全カバーは、前記刈刃の回転面の上方に配置された天板部と、この天板部を前記操作棹に搖動自在に取り付ける搖動手段とを有し、
前記搖動手段は、前記操作棹を操作することで前記天板部を搖動させる軸部と、前記天板部の搖動範囲を規制する規制部とを備えること、
を特徴とする刈払機。
【請求項２】
前記軸部が前記刈刃回転面に対して略１５パーセント以内で傾斜して配置されていることを特徴とする請求項１に記載の刈払機。
【請求項３】
前記飛散防止安全カバーを分割し、それぞれ又は一の分割された飛散防止安全カバーに前記搖動手段を有していることを特徴とする請求項１又は２に記載の刈払機。
【請求項４】
前記飛散防止安全カバーの周縁部に錘を付設した請求項１〜３のいずれか１項に記載の刈払機。
【請求項５】
刈払機の操作棹又はハンドル部にレバーを付設し、このレバーと、前記天板部、又は前記天板部と前記取付具とを連結するアーム部、若しくは前記飛散防止安全カバーの周縁部、とをワイヤーで連結し、前記レバーで前記ワイヤーを操作することで前記天板部を前記刈刃回転面に略垂直の方向に回動させて揺動させることを特徴とする請求項１〜４のいずれか１項に記載の刈払機。